(57)【要約】【課題】刈取対象となる作物の種類が変更される場合であっても、煩わしさの少ない状態で良好な脱穀作業を行えるようにすることが望まれていた。【解決手段】扱室２３内で刈取穀稈を脱穀処理する脱穀装置４が備えられ、扱室２３に、前後軸芯Ｘ周りで回転する扱胴３１と、扱胴３１の外周部に沿う状態で円弧状に設けられた受網３２とが備えられ、受網３２に、１つあるいは周方向に沿って分割された複数の受網構成体４３が備えられ、受網構成体４３における扱胴３１の周方向に沿う一方側端部４７を位置保持した状態で、受網構成体４３における周方向に沿う他方側端部４６と扱胴３１の外端部の回転軌跡との間隔を変更調節可能な位置調節機構が備えられている。【選択図】図４
2020018184.tif 000002
【特許請求の範囲】
【請求項１】
扱室内で刈取穀稈を脱穀処理する脱穀装置が備えられ、
前記扱室に、前後軸芯周りで回転する扱胴と、前記扱胴の外周部に沿う状態で円弧状に設けられた受網とが備えられ、
前記受網に、１つあるいは周方向に沿って分割された複数の受網構成体が備えられ、
前記受網構成体における前記扱胴の周方向に沿う一方側端部を位置保持した状態で、前記受網構成体における前記周方向に沿う他方側端部と前記扱胴の外端部の回転軌跡との間隔を変更調節可能な位置調節機構が備えられているコンバイン。
【請求項２】
前記他方側端部は、前記扱胴の回転方向における上手側に対応する上手側端部、又は、前記扱胴の回転方向における下手側に対応する下手側端部のいずれかである請求項１に記載のコンバイン。
【請求項３】
前記位置調節機構は、
前記間隔のうち前記他方側端部の前記回転方向の直後における間隔が、前記間隔のうち前記他方側端部の前記回転方向の直前における間隔よりも径方向内側に狭くならないように、前記他方側端部の位置を変更調節する請求項２に記載のコンバイン。
【請求項４】
前記受網構成体が、前記扱胴の回転軸芯方向に沿って分割された複数の分割受網を有しており、
前記位置調節機構に、
複数の分割受網夫々の前記他方側端部を一体移動可能に支持するとともに、前記扱室の前記回転軸芯方向の一端側箇所から他端側箇所に亘って延びる棒状部材と、
前記棒状部材の前記回転軸芯方向の両側端部を複数の位置に選択的に位置固定可能な位置変更部材とが備えられている請求項１から３のいずれか１項に記載のコンバイン。
【発明の詳細な説明】
【技術分野】
【０００１】
本発明は、扱室内で刈取穀稈を脱穀処理する脱穀装置が備えられているコンバインに関する。
【背景技術】
【０００２】
脱穀装置の扱室内には、駆動回転される扱胴が備えられ、且つ、扱胴の外周部に沿う状態で円弧状の受網が設けられている。そして、従来では、受網は、扱胴の回転方向に対する上手側端部、下手側端部及び、中間部の夫々が、脱穀装置本体に備えられた支持部材に支持され、扱室内で位置固定状態で設けられていた（例えば、特許文献１参照）。
【先行技術文献】
【特許文献】
【０００３】
【特許文献１】特開２０１７−５１１６７号公報
【発明の概要】
【発明が解決しようとする課題】
【０００４】
コンバインにおいて圃場内で刈取作業する場合、作物の種類が常に一定であるとは限らない。そして、作物の種類が異なると、刈取作業に伴って脱穀装置に搬入される作物の量が大きく異なることがある。このように、作物の量が多くなると、扱胴と受網との協働により扱き処理を実行するとき、扱胴と受網との間で作物が滞留し勝ちになり、効率のよい脱穀処理が行えなくなるおそれがある。又、扱胴に対する駆動負荷が過大になる等のおそれもある。
【０００５】
そこで、上記従来構成では、受網が位置固定状態で備えられているので、刈取対象となる作物の種類が異なり、脱穀装置に搬入される作物の量が予め設定されている量よりも多くなる場合には、良好な脱穀作業を行うために異なる仕様の受網に取り換える作業が必要となっていた。しかし、このような受網の交換作業は、大型で大重量の装置である受網を取り外したり、再度、取り付けたりする等、煩わしい大掛かりな作業となっていた。
【０００６】
そこで、刈取対象となる作物の種類が変更される場合であっても、煩わしさの少ない状態で良好な脱穀作業を行えるようにすることが望まれていた。
【課題を解決するための手段】
【０００７】
本発明に係るコンバインの特徴構成は、扱室内で刈取穀稈を脱穀処理する脱穀装置が備えられ、前記扱室に、前後軸芯周りで回転する扱胴と、前記扱胴の外周部に沿う状態で円弧状に設けられた受網とが備えられ、前記受網に、１つあるいは周方向に沿って分割された複数の受網構成体が備えられ、前記受網構成体における前記扱胴の周方向に沿う一方側端部を位置保持した状態で、前記受網構成体における前記周方向に沿う他方側端部と前記扱胴の外端部の回転軌跡との間隔を変更調節可能な位置調節機構が備えられている点にある。
【０００８】
扱室に搬入される作物は、回転する扱胴によって持ち回りしながら周方向に移送される。そして、扱胴と受網との協働による扱き処理作用領域に至ると、扱胴と受網とによって揉まれながら扱き処理されるが、受網構成体と扱胴の外端部の回転軌跡との間隔が、作物の量に対して狭すぎると、扱き処理が効率よく行えないおそれがある。
【０００９】
そこで、本発明では、位置調節機構によって、受網に備えられる受網構成体の一方側端部を位置保持した状態で、受網構成体の他方側端部と扱胴の外端部の回転軌跡との間隔を変更させることができる。例えば、刈取対象となる作物の種類が変更されて、扱室に搬入される作物の量が多くなるような場合には、間隔を広げるように変更することによって、作物が扱胴と受網との間で滞留するおそれが少なくなり、扱き処理を効率よく行うことができる。又、作物の量が少なくなる場合には、間隔を狭くするように変更することによって、作物が扱胴と受網との間で有効に揉まれて、扱き処理を効率よく行うことができる。
【００１０】
位置調節機構は、受網構成体の他方側端部の位置を変更させるものであり、受網全体を交換する等の大掛かりな作業は不要であり、調節操作は煩わしさの少ない状態で行うことができる。
【００１１】
従って、刈取対象となる作物の種類が変更される場合であっても、煩わしさの少ない状態で良好な脱穀作業を行えるようにすることが可能となった。
【００１２】
本発明においては、前記他方側端部は、前記扱胴の回転方向における上手側に対応する上手側端部、又は、前記扱胴の回転方向における下手側に対応する下手側端部のいずれかであると好適である。
【００１３】
本構成によれば、受網構成体の上手側端部を位置変更させると、扱胴と受網との協働による扱き処理作用域の入口付近における作物の滞留を回避させることが可能である。一方、受網構成体の下手側端部を位置変更させると、扱胴と受網との協働による扱き処理作用域の入口付近で、作物の滞留し勝ちになることがあっても、回転方向下手側が位置変更することで、下手側に作物を移送させ易くなり、全体として滞留を回避させることが可能である。
【００１４】
本発明においては、前記位置調節機構は、前記間隔のうち前記他方側端部の前記回転方向の直後における間隔が、前記間隔のうち前記他方側端部の前記回転方向の直前における間隔よりも径方向内側に狭くならないように、前記他方側端部の位置を変更調節すると好適である。
【００１５】
本構成によれば、受網構成体の他方側端部の回転方向の直後における間隔が、回転方向の直前における間隔よりも狭くなると、扱胴によって持ち回りする作物が、当該箇所において引っ掛かり堆積するおそれがある。そこで、回転方向の直後における間隔が、回転方向の直前における間隔よりも狭くならないように位置調節することで、作物が引っ掛かり堆積する不利を回避しながら、作物の量に応じた位置変更調節が可能となる。
【００１６】
本発明においては、前記受網構成体が、前記扱胴の回転軸芯方向に沿って分割された複数の分割受網を有しており、前記位置調節機構に、複数の分割受網夫々の前記他方側端部を一体移動可能に支持するとともに、前記扱室の前記回転軸芯方向の一端側箇所から他端側箇所に亘って延びる棒状部材と、前記棒状部材の前記回転軸芯方向の両側端部を複数の位置に選択的に位置固定可能な位置変更部材とが備えられていると好適である。
【００１７】
本構成によれば、受網構成体が複数の分割受網に分割されているので、受網構成体が一体的に構成される場合に比べて分割受網は小型軽量であり、受網の清掃や交換等のメンテナンス作業を行う際に、労力負担が軽減される。
【００１８】
そして、このように複数の分割受網が備えられる場合であっても、位置変更部材により棒状部材の両側端部を位置変更させることにより、複数の分割受網夫々の他方側端部を一括して位置変更させることが可能となり、能率よく作業を行える。
【図面の簡単な説明】
【００１９】
【図１】コンバインの全体側面図である。
【図２】脱穀装置の支持構造を示す側面図である。
【図３】側壁部を外した状態の脱穀装置の側面図である。
【図４】脱穀装置の縦断正面図である。
【図５】受網の側面図である。
【図６】受網構成体の位置変更状態を示す正面図である。
【図７】位置変更部材配設部の一部切り欠き側面図である。
【図８】別実施形態の受網構成体の位置変更状態を示す正面図である。
【図９】別実施形態の受網構成体の位置変更状態を示す正面図である。
【図１０】別実施形態の受網構成体の位置変更状態を示す正面図である。
【図１１】別実施形態の受網構成体の位置変更状態を示す正面図である。
【発明を実施するための形態】
【００２０】
以下、図面に基づいて、本発明に係るコンバインの実施形態を普通型コンバインに適用した場合について説明する。
【００２１】
〔全体構成〕
図１に示すように、コンバインは、作物を刈り取って後方に搬送する刈取搬送部１、キャビン２にて覆われた運転部３、刈取搬送部１にて刈り取られた作物の脱穀処理を行う脱穀装置４、その脱穀装置４にて脱穀処理されて得られた穀粒を貯留する穀粒タンク５、動力源としてのエンジン６を有する原動部７、操向不能で且つ回転駆動される左右一対の前車輪８と、操向操作可能な左右一対の後車輪９とを備えている。穀粒タンク５の左側には、貯留している穀粒を機体外部に搬送するスクリューコンベア式の穀粒排出装置Ｈが備えられている。
【００２２】
この実施形態で、機体の前後方向を定義するときは、作業状態における機体進行方向に沿って定義する。すなわち、図１に符号（Ｆ）で示す方向が機体前側、図１に符号（Ｂ）で示す方向が機体後側である。
【００２３】
刈取搬送部１は、機体の前部において、昇降用アクチュエータとしての刈取昇降シリンダ１０により横向き支点Ｐ１周りで駆動昇降自在に支持されている。刈取搬送部１は、植立する作物を刈り取り、刈り取った作物を刈幅方向の中央部に寄せ集める刈取ヘッダ１１と、刈り取られて中央に寄せ集められた作物を機体後方の脱穀装置４に向けて搬送するフィーダ１２とを備えている。
【００２４】
刈取ヘッダ１１には、刈取対象となる作物の穂先側を後方に向けて掻込む回転リール１３、作物の株元を切断して刈り取るバリカン型の刈刃１４、刈り取った作物を刈幅方向の中央部に寄せ集める横送りオーガ１５等が備えられている。
【００２５】
フィーダ１２は、図示はしないが、筒状の搬送ケース１６内に、前後の輪体にわたって複数の無端回動チェーンが巻回張設され、無端回動チェーンにわたり係止搬送体を架設した搬送コンベアが備えられ、刈取ヘッダ１１から受け渡された作物を後方上方に向けて搬送するように構成されている。
【００２６】
脱穀装置４は、機体左右方向中央部の低い位置にあり、脱穀装置４の上方において、脱穀装置４にて脱粒処理されたあとの穀粒を貯留する穀粒タンク５と、動力源としてのエンジン６とが備えられている。具体的には、機体前部側に穀粒タンク５が位置し、機体後部側にエンジン６が位置する状態で、穀粒タンク５とエンジン６とが前後方向に並ぶ方向で備えられている。脱穀装置４の左右両側外方側が外装カバー１７によって覆われている。詳述はしないが、外装カバー１７は、手動操作により横側外方の揺動開放可能に構成されている。
【００２７】
機体下部には、機体前後方向に延びる左右一対の主フレーム２０が備えられている。左右の主フレーム２０は機体全体を支持しており、主フレーム２０が機体フレームに相当する。左右の主フレーム２０は、断面形状が略Ｃ形のチャンネル材にて構成され、機体前部から機体後部にわたって前後方向に長く設けられている。左右の主フレーム２０よりも低い位置に左右の前車輪８及び左右の後車輪９の車軸８ａ，９ａが備えられている。左右の前車輪８及び左右の後車輪９は、左右の主フレーム２０夫々の機体左右方向外方側に位置する状態で備えられ、左右の主フレーム２０は左右の前車輪８及び左右の後車輪９に支持されている。
【００２８】
〔脱穀装置〕
次に、脱穀装置４について説明する。
図２，３に示すように、脱穀装置４には、脱粒処理を行う脱穀部２１と、脱穀部２１による脱粒処理が行われた後の処理物を選別処理する選別部２２とが備えられている。選別部２２は、詳述はしないが、周囲が壁部にて囲われた内部の空間に、脱粒処理が行われた後の処理物を揺動移送しながら穀粒、枝付き穀粒等の二番物、及び、排ワラ屑等に選別するための選別処理部２４（図３参照）が備えられている。図１に示すように、脱穀装置４の機体後方側には、脱穀装置４にて脱穀処理された後の脱穀処理物（排ワラ屑等）を細断処理する細断処理装置２５が備えられている。
【００２９】
脱穀部２１は、機体前部側が上下方向に幅狭であり、機体後部側ほど上下方向に幅広となるように構成されている。そして、下端部が前後方向に沿って略水平姿勢で延びる主フレーム２０に載置されている。従って、脱穀部２１の上端部は後部側ほど高い位置になる後上がり傾斜姿勢となっている。
【００３０】
図４に示すように、脱穀部２１の内部に、刈取穀稈の扱き処理が行われる扱室２３が形成されている。扱室２３には、機体前後方向に沿う軸芯Ｘ周りで回転する扱胴３１が備えられ、扱胴３１の下方側に、扱胴３１の外周部に沿うように正面視で略円弧状に形成された受網３２が備えられている。扱室２３では、機体前部側から刈取穀稈が投入され、扱胴３１と受網３２とによって扱き処理（脱粒処理）が行われる。扱胴３１は、回転軸芯Ｘが機体後側ほど順次高くなる斜め姿勢となるように後上がり傾斜姿勢で配備されている。受網３２も扱胴３１と同様に、後上がり傾斜姿勢で配備されている。扱胴３１は、周方向に間隔をあけて、回転軸芯方向に沿って延びる複数の棒状部材１８が備えられ、各棒状部材１８に径方向外方に突出するように複数の棒状の扱き歯１９を備えた構成となっ
【００３１】
左側に位置する左側壁部２７は、図２に示すように、機体前部側が上下方向に幅狭であり、機体後部側ほど上下方向に幅広となるように側面視略三角形状に形成された下部側壁部３３と、前後方向に沿って略同一幅の上部側壁部３４と、機体後側に位置して上下方向に幅広の後部側壁部３５が備えられている。図示していないが、右側壁部２６は、壁部全体を覆う壁面を有しており、下端部が主フレーム２０の上面に載置された状態で、主フレーム２０にボルト連結されている。
【００３２】
左側壁部２７のうち下部側壁部３３及び後部側壁部３５は、下端部が主フレーム２０の上面に載置された状態で、主フレーム２０にボルト連結されている。上部側壁部３４は、扱胴３１の回転軸芯方向に沿って複数（４個）に分割された構成となっており、４個の分割壁３７により構成されている。分割壁３７は夫々、横方向に沿って着脱可能に支持されている。
【００３３】
図４に示すように、右側壁部２６及び左側壁部２７の上部には、扱胴３１の回転軸芯方向に沿って延びる側壁上端フレーム３８，３９が備えられている。左右の側壁上端フレーム３８，３９は、脱穀装置４の前部から後端部に亘って長く延びている。
【００３４】
〔受網〕
受網３２が、扱胴３１の回転軸芯方向に沿って分割された複数の分割受網４０により構成されている。分割受網４０は、横方向に沿って着脱可能に支持されている。受網３２は、扱胴３１の回転軸芯方向に沿って左側壁部２７における上部側壁部３４の分割壁３７と同じ位置で分割されており、且つ、同じ方向に、すなわち、機体左側に向けて着脱可能である。
【００３５】
図３に示すように、受網３２は、４個の分割壁３７に対応する箇所に設けられ、４個の分割受網４０が備えられている。受網３２は、扱胴３１の外端部の回転軌跡に略沿うように、正面視で略円弧状に設けられている。図５に示すように、前後に隣接する分割受網４０同士の間には、左右の側壁上端フレーム３８，３９同士に亘って延びる仕切り部材４１が設けられている。
【００３６】
各分割受網４０は、扱胴３１の周方向に沿って分割された２個の受網構成体４２，４３により構成されている。右側の受網構成体４２は、略円弧状のガイド部材４４によって受止め案内され、且つ、右側端部が右側の側壁上端フレーム３８に当て付ける状態で支持されている。そして、左側端部が左右の受網構成体４２，４３の接続箇所に設けられた中継ブラケット４５にボルト連結されている。左側の受網構成体４３は、右側端部が中継ブラケット４５にボルト連結され、左側端部が左側の側壁上端フレーム３９にボルト連結されている。
【００３７】
〔位置調節機構〕
２個の受網構成体４２，４３のうち、左側に位置する受網構成体４２は、扱胴３１の回転方向における上手側に対応する上手側端部４６と扱胴３１の外端部の回転軌跡との間隔を変更調節可能に構成されている。そして、左側の受網構成体４２について、扱胴３１の回転方向における下手側に対応する下手側端部４７（周方向に沿う一方側端部の一例）を位置保持した状態で、扱胴３１の回転方向における上手側に対応する上手側端部４６（周方向に沿う他方側端部の一例）と扱胴３１の外端部（扱き歯１９の外端部）の回転軌跡との間隔を変更調節可能な位置調節機構５０が備えられている。
【００３８】
位置調節機構５０には、複数の分割受網４０夫々の上手側端部を一体移動可能に支持するとともに、扱胴３１の回転軸芯方向の一端側箇所から他端側箇所に亘って延びる棒状部材５１と、棒状部材５１の回転軸芯方向の両側端部を複数の位置に選択的に位置固定可能な位置変更部材５２とが備えられている。
【００３９】
以下、位置調節機構５０について説明を加える。
図４，５に示すように、左側の受網構成体４３（図４では正面視であるから右に位置している）は、下手側端部４７は中継ブラケット４５にボルト連結にて固定されている。左側の受網構成体４３の上手側端部４６には、下向き開放状の断面Ｕ字状の支持部材５３が一体的に備えられている。この支持部材５３は、分割受網４０における扱胴３１の回転方向に沿う全幅に亘って延びている。支持部材５３の下側の凹入部に入り込み係合する状態で、扱胴３１の回転方向に沿って脱穀装置４の前後幅の略全範囲に亘って長く延びる棒状部材５１が備えられている。
【００４０】
上述したように受網は、扱胴３１の回転軸芯方向に沿って４分割されており、左側の受網構成体４３についても、回転軸芯方向に沿って４個の分割受網４０に分割されている。
【００４１】
図５に示すように、棒状部材５１は、円筒状の棒材からなり、受網３２における前端側、すなわち、回転軸芯方向に沿って並ぶ４個の分割受網の最前端側に位置する前壁部２９と、受網における後端側、すなわち、回転軸芯方向に沿って並ぶ４個の分割受網の最後端側に位置する後壁部２８とに亘って長く延びている。
【００４２】
図６，７に示すように、棒状部材５１の両側端部に、板面が棒状部材５１の長手方向と直交する状態で板状の位置変更部材５２が溶接にて一体連結されている。位置変更部材５２には、棒状部材５１を挟んで上下両側に位置する状態で一対のボルト挿通孔が形成されている。そして、前壁部２９及び後壁部２８には、夫々、各ボルト挿通孔に対応する位置に調節孔５６が形成されている。前壁部２９及び後壁部２８に形成される調節孔５６は、扱胴３１の径方向に沿って位置を異ならせた状態で複数形成されている。
【００４３】
ボルト挿通孔といずれかの調節孔５６とに亘りボルト５７を挿通してナット５８で締結することにより、棒状部材５１が前壁部２９及び後壁部２８に位置固定状態で連結することができる。複数の調節孔５６のうち、最も扱胴３１に近い側の調節孔５６を通してボルト連結すると、左側の受網構成体４３の上手側端部４６における扱胴回転方向直前における、扱胴３１の外端部の回転軌跡と外周側の部材（天板）との間隔と、左側の受網構成体４３の上手側端部４６における扱胴回転方向直後における扱胴３１の外端部の回転軌跡と受網構成体４３との間隔とが略等しくなる（図６の仮想線参照）。
【００４４】
そして、扱室２３に搬入される作物の量が多くなる作業形態に変更する場合等においては、最も扱胴３１に近い側の調節孔５６とは異なる調節孔５６にボルト５７を付け替えることにより、左側の受網構成体４３が下手側端部４７を中心にして上手側端部４６が扱胴３１から離れる方向に揺動して、扱胴３１の外端部の回転軌跡と受網構成体４３との間隔を広くさせることができる（図６の実線参照）。このとき、左側の受網構成体４３は少し撓み変形することになるが、周方向の長さに対して撓み変形する揺動量は小さいので変形を許容することができる。その結果、上手側端部４６の回転方向直後における間隔が、上手側端部４６の回転方向直前における間隔よりも径方向内側に狭くならないように、上手側端部４６の位置を変更調節することができる。
【００４５】
上述したような、棒状部材５１、位置変更部材５２、前壁部２９及び後壁部２８に形成された複数の調節孔５６、ボルト５７・ナット５８等により位置調節機構５０が構成されている。尚、ナット５８は、位置変更部材５２におけるボルト挿通孔５５の扱室内方側箇所に溶接固定されている。この構成による左側の受網構成体４３の位置調節作業は、前壁部２９側での作業と、後壁部２８側での作業とを別々に行うことにより一人の作業者であっても行うことができる。
【００４６】
〔別実施形態〕
（１）上記実施形態では、周方向に沿って分割された２つの受網構成体４２，４３が備えられ、そのうちの扱胴回転方向上手側に位置する一方の受網構成体４３について、回転方向上手側端部４６と扱胴３１の外端部の回転軌跡との間隔を変更調節可能に構成したものを示したが、この構成にかえて、以下の（１−１）〜（１−４）に記載するような種々の構成を採用してもよい。尚、いずれの場合にも、位置変更される箇所の回転方向の直後における間隔が、回転方向の直前における間隔よりも径方向内側に狭くならないようにするとよい。
【００４７】
（１−１）図８に示すように、受網３２が分割されることなく周方向に沿って一連に連なる構成の受網構成体４３にて構成され、その受網構成体４３について、例えば、回転方向下手側端部４７を位置固定状態とし、回転方向上手側端部４６と扱胴３１の外端部の回転軌跡との間隔を変更調節可能に構成したもの。
【００４８】
（１−２）図９に示すように、受網３２が分割されることなく周方向に沿って一連に連なる構成の受網構成体４３にて構成され、その受網構成体４３について、例えば、回転方向下手側端部４７を位置固定状態とし、且つ、周方向の中間位置を中継ブラケット４５にて支持させて位置を固定しておき、回転方向上手側端部と扱胴３１の外端部の回転軌跡との間隔を変更調節可能に構成したもの。
【００４９】
（１−３）図１０に示すように、２つの受網構成体４２，４３のうちの扱胴回転方向上手側に位置する一方の受網構成体４３について、下手側端部４７をボルト連結するものに代えて、下手側端部４７を中継ブラケットに対して回転軸芯方向に沿う軸芯周りで揺動可能に支持するように構成したもの。
【００５０】
（１−４）図１１に示すように、２つの受網構成体４２，４３のうちの扱胴回転方向上手側に位置する一方の受網構成体４３について、回転方向における上手側端部４６を位置固定状態とし、回転方向における下手側端部４７と扱胴３１の外端部の回転軌跡との間隔を変更調節可能に構成したもの。
【００５１】
（２）上記実施形態では、受網構成体４３が、扱胴３１の回転軸芯方向に沿って分割された複数の分割受網４０を有し、位置調節機構５０が、複数の分割受網４０夫々の他方側端部を一体移動させて位置調節させるようにしたが、複数の分割受網４０について、各別に位置調節する構成としてもよく、又、複数の分割受網４０のうちの一部の分割受網４０、特に、処理物移送方向始端側の分割受網４０だけを位置調節する構成とする等、種々の構成を採用することができる。
【００５２】
（３）上記実施形態では、位置調節機構５０が、他方側端部の回転方向の直後における間隔が、他方側端部の回転方向の直前における間隔よりも径方向内側に狭くならないように、他方側端部の位置を変更調節する構成としたが、この構成に代えて、他方側端部の回転方向の直後における間隔が、他方側端部の回転方向の直前における間隔よりも径方向内側に狭くなるように変更調節する構成であってもよい。
【産業上の利用可能性】
【００５３】
本発明は、普通型コンバインに限らず自脱型コンバインにも適用できる。
【符号の説明】
【００５４】
４        脱穀装置
２３      扱室
３１      扱胴
３２      受網
４３      受網構成体
４６      他方側端部
４７      一方側端部
５０      位置調節機構
５１      棒状部材
５２      位置変更部材
【図１】
2020018184.tif 000003
【図２】
2020018184.tif 000004
【図３】
2020018184.tif 000005
【図４】
2020018184.tif 000006
【図５】
2020018184.tif 000007
【図６】
2020018184.tif 000008
【図７】
2020018184.tif 000009
【図８】
2020018184.tif 000010
【図９】
2020018184.tif 000011
【図１０】
2020018184.tif 000012
【図１１】
2020018184.tif 000013